(57)【特許請求の範囲】
【請求項１】
コンテンツを所定の媒体に蓄積して蓄積型メディアを作成する手段と、
該蓄積型メディアにアクセスして所望のコンテンツを再生する手段と、
前記蓄積型メディアには、一台の録画再生装置に対して複数の個人認証用カードに記憶されている各々の個人情報により、個人の嗜好に合ったコンテンツを録画して蓄積すると共に、該個人情報に基づいて蓄積されているコンテンツを選択して再生する制御手段と、
を備え、
上記個人認証用カードに記憶されている個人情報には、個人の嗜好に合ったコンテンツを前記蓄積型メディアに蓄積するための保存ディレクトリ情報を備えたことを特徴とする録画再生装置。
【請求項２】
上記保存ディレクトリ情報は、前記個人認証用カードを所有するものの姓名若しくは姓名に関連する名称で表わすようにしたことを特徴とする請求項１記載の録画再生装置。
【請求項３】
上記保存ディレクトリ情報には、個人の嗜好にあったコンテンツを特定する嗜好データを備えたことを特徴とする請求項１記載の録画再生装置。
【請求項４】
上記嗜好データが前記複数の個人認証用カードの個人情報と共通する場合には、共通嗜好データとしてコンテンツを特定し、該共通嗜好データに基づいて該コンテンツを選択して再生できるようにしたことを特徴とする請求項３記載の録画再生装置。
【請求項５】
コンテンツを所定の媒体に蓄積して蓄積型メディアを作成する手段と、
一台の録画再生装置に対して複数の個人認証用カードに記憶されている各々の個人情報に基づいて前記蓄積型メディアに蓄積されているコンテンツを選択して再生する再生制御手段と、
を備え、
上記個人情報は、個人の嗜好にあったコンテンツを特定する嗜好データを備え、該嗜好データに基づいて前記蓄積メディアに蓄積されているコンテンツを選択表示するようにすると共に、
上記嗜好データが前記複数の個人認証用カードの個人情報と共通する場合には、共通嗜好データとしてコンテンツを特定し、該共通嗜好データに基づいて所定のコンテンツを選択して再生できるようにしたことを特徴とする録画再生装置。
【請求項６】
放送番組を所定の媒体に蓄積して蓄積型メディアを作成する手段と、
該蓄積型メディアにアクセスして所望の放送番組を再生する手段と、
前記蓄積型メディアは、１台の放送受信機に対して複数の個人認証用カードに記憶されている各々の個人情報により、個人の嗜好に合った放送番組を録画して蓄積すると共に、該個人情報に基づいて蓄積されている放送番組を選択して再生する制御手段と、
を備え、
上記個人情報は、個人の姓名と、ジャンルに分けた放送番組で作成されている嗜好データとからなり、
上記蓄積型メディアは、ルートディレクトリを該個人情報の姓若しくは姓に関連する名称で表わし、該ルートディレクトリに関連付けされたサブディレクトリを該個人情報の名若しくは名に関連する名称で表わし、該名若しくは名に関連する名称で表わしたサブディレクトリに嗜好データの放送番組を関連付けして録画蓄積することを特徴とする放送受信機。
【請求項７】
上記嗜好データが前記複数の個人認証用カードの個人情報と共通する場合には、共通嗜好データとして放送番組を特定し、該共通嗜好データを前記ルートディレクトリに関連付けして録画蓄積することを特徴とする請求項６記載の放送受信機。
【請求項８】
放送番組を所定の媒体に蓄積して蓄積型メディアを作成する手段と、
１台の放送受信機に対して複数の個人認証用カードに記憶されている各々の個人情報に基づいて、前記蓄積メディアに蓄積されている放送番組を選択して再生する再生制御手段と、
を備え、
上記個人情報は、個人の嗜好にあった放送番組を特定する嗜好データを備え、該嗜好データに基づいて前記蓄積メディアに蓄積されている放送番組を選択表示するようにすると共に、
上記嗜好データが前記複数の個人認証用カードの個人情報と共通する場合には、共通嗜好データとして放送番組を特定し、該共通嗜好データに基づいて前記蓄積メディアに蓄積されている放送番組を選択して再生することを特徴とする放送受信機。
【発明の詳細な説明】
【０００１】
【発明の属する技術分野】
本発明は、録画再生装置及び放送受信機に関するものであり、特に蓄積型メディアを利用した映像音声録画再生装置において、挿入された個人認証用ＩＣカードの個人情報に基づき蓄積型メディアに記録されたコンテンツのアクセスを制限する装置及び放送受信機に関する。
【０００２】
【従来の技術】
従来技術において、録画再生装置、即ち、放送受信機は、通常、一家庭に一台購入される場合が多く、又、この録画再生装置は、放送番組等のコンテンツを蓄積して蓄積メディアを作成し、この蓄積メディアをだれでもアクセスして所望の放送番組を視聴できるようになっている。
【０００３】
【発明が解決しようとする課題】
しかしながら、従来技術で説明した録画再生装置は、録画する放送番組は家族の個々個人により趣味嗜好が異なるため、個々個人のそれぞれが録画を実行すると、時間軸にて録画された放送番組がリスト化されるため、即座に個々個人が所望する放送番組を視聴することが困難であるという問題がある。
【０００４】
従って、蓄積型メディアを利用した録画再生装置及び放送受信機において、コンテンツの録画／再生を制御する手法、特に個人が録画した放送番組を即座に再生視聴することができる制御手法を備えた装置及び放送受信機に解決しなければならない課題を有する。
【０００５】
【課題を解決するための手段】
上記課題を解決するために、本発明に係る録画再生装置及び放送受信機は、次に示す構成にすることである。
【０００６】
（１）  コンテンツを所定の媒体に蓄積して蓄積型メディアを作成する手段と、
該蓄積型メディアにアクセスして所望のコンテンツを再生する手段と、
前記蓄積型メディアには、一台の録画再生装置に対して複数の個人認証用カードに記憶されている各々の個人情報により、個人の嗜好に合ったコンテンツを録画して蓄積すると共に、該個人情報に基づいて蓄積されているコンテンツを選択して再生する制御手段と、
を備え、
上記個人認証用カードに記憶されている個人情報には、個人の嗜好に合ったコンテンツを前記蓄積型メディアに蓄積するための保存ディレクトリ情報を備えたことを特徴とする録画再生装置。
（２）  上記保存ディレクトリ情報は、前記個人認証用カードを所有するものの姓名若しくは姓名に関連する名称で表わすようにしたことを特徴とする（１）記載の録画再生装置。
（３）  上記保存ディレクトリ情報には、個人の嗜好にあったコンテンツを特定する嗜好データを備えたことを特徴とする（１）記載の録画再生装置。
（４）上記嗜好データが前記複数の個人認証用カードの個人情報と共通する場合には、共通嗜好データとしてコンテンツを特定し、該共通嗜好データに基づいて該コンテンツを選択して再生できるようにしたことを特徴とする（３）記載の録画再生装置。
【０００７】
（５）  コンテンツを所定の媒体に蓄積して蓄積型メディアを作成する手段と、
一台の録画再生装置に対して複数の個人認証用カードに記憶されている各々の個人情報に基づいて前記蓄積型メディアに蓄積されているコンテンツを選択して再生する再生制御手段と、
を備え、
上記個人情報は、個人の嗜好にあったコンテンツを特定する嗜好データを備え、該嗜好データに基づいて前記蓄積メディアに蓄積されているコンテンツを選択表示するようにすると共に、
上記嗜好データが前記複数の個人認証用カードの個人情報と共通する場合には、共通嗜好データとしてコンテンツを特定し、該共通嗜好データに基づいて所定のコンテンツを選択して再生できるようにしたことを特徴とする録画再生装置。
【０００８】
（６）  放送番組を所定の媒体に蓄積して蓄積型メディアを作成する手段と、
該蓄積型メディアにアクセスして所望の放送番組を再生する手段と、
前記蓄積型メディアは、１台の放送受信機に対して複数の個人認証用カードに記憶されている各々の個人情報により、個人の嗜好に合った放送番組を録画して蓄積すると共に、該個人情報に基づいて蓄積されている放送番組を選択して再生する制御手段と、
を備え、
上記個人情報は、個人の姓名と、ジャンルに分けた放送番組で作成されている嗜好データとからなり、
上記蓄積型メディアは、ルートディレクトリを該個人情報の姓若しくは姓に関連する名称で表わし、該ルートディレクトリに関連付けされたサブディレクトリを該個人情報の名若しくは名に関連する名称で表わし、該名若しくは名に関連する名称で表わしたサブディレクトリに嗜好データの放送番組を関連付けして録画蓄積することを特徴とする放送受信機。
（７）  上記嗜好データが前記複数の個人認証用カードの個人情報と共通する場合には、共通嗜好データとして放送番組を特定し、該共通嗜好データを前記ルートディレクトリに関連付けして録画蓄積することを特徴とする（６）記載の放送受信機。
【０００９】
（８）  放送番組を所定の媒体に蓄積して蓄積型メディアを作成する手段と、
１台の放送受信機に対して複数の個人認証用カードに記憶されている各々の個人情報に基づいて、前記蓄積メディアに蓄積されている放送番組を選択して再生する再生制御手段と、
を備え、
上記個人情報は、個人の嗜好にあった放送番組を特定する嗜好データを備え、該嗜好データに基づいて前記蓄積メディアに蓄積されている放送番組を選択表示するようにすると共に、
上記嗜好データが前記複数の個人認証用カードの個人情報と共通する場合には、共通嗜好データとして放送番組を特定し、該共通嗜好データに基づいて前記蓄積メディアに蓄積されている放送番組を選択して再生することを特徴とする放送受信機。
【００１０】
このように、個人認証用ＩＣカードを使って、放送番組等のコンテンツの録画再生を個人情報により制御するようにしたことにより、個人特有の所望のコンテンツ（放送番組等）を蓄積すること及び所望のコンテンツ（放送番組等）を即座にアクセスすることができるようになる。
【００１１】
【発明の実施の形態】
次に、本発明に係る録画再生装置及び放送受信機の実施形態について、図面を参照して説明する。
【００１２】
本願発明の第１の実施形態の録画再生装置を具現化するための放送受信機は、図１に示すように、ＢＳ／ＣＳ放送を受信するＢＳ/ＣＳアンテナ入力部１と、入力した放送信号をベースバンドに変換するＢＳ／ＣＳチューナ部２と、ベースバンドに変換された放送信号を復調するデジタル復調回路３と、エラー訂正回路４と、必要な映像及び音声信号を抽出するデマルチプレクサ５と、地上波の放送信号を受信する地上波アンテナ入力部６と、入力した放送信号を復調するチューナー部７と、復調した信号をデジタル信号にするビデオデコーダ８と、デジタル信号を圧縮するＭＰＥＧエンコーダ９と、ＣＰＵ１０と、メモリ１１と、個人認証用ＩＣカード１２に記憶されている個人情報を読み出すことができるＩＣカードインターフェース部１３と、ハードディスクインターフェース部１４と、蓄積型メディアを実現するハードディスクドライブ（ＨＤＤ）１５と、ＭＰＥＧデコーダ１６と、重畳表示をドライブするＯＳＤ回路１７とから構成されている。このうち、デマルチプレクサ５、ＭＰＥＧエンコーダ９、ＣＰＵ１０、メモリ１１、ＭＰＥＧデコーダ１６、ＩＣカードインターフェース部１３、ハードディスクインターフェース部１４、はシステムバス１８に接続され、ＣＰＵ１０により動作制御される。
【００１３】
このような構成からなるハードディスクドライブ１５を使用して作成された蓄積型メディアを利用した放送受信機（録画再生装置）において、ＢＳ/ＣＳアンテナ入力部１に入力されたＢＳ/ＣＳ放送信号はＢＳ/ＣＳチューナー部２によりベースバンドに変換され、デジタル復調回路３に入力される。
【００１４】
復調された信号はエラー訂正回路４でエラー訂正された後、デマルチプレクサ５にて必要な映像と音声信号が抽出されシステムバス１８、ハードディスクインターフェース部１４を経由してハードディスクドライブ１５に録画され、蓄積型メディアを作成する。
【００１５】
同様に、地上波アンテナ入力部６に入力された信号は、チューナー部７で復調された後、ビデオデコーダ８にてデジタル化され、ＭＰＥＧエンコーダ９にてＭＰＥＧ−２方式で圧縮され、システムバス１８を経由してハードディスクドライブ１５に録画され、蓄積型メディアを作成する。
【００１６】
ハードディスクドライブ１５に録画された放送番組は、ユーザーの操作によりデータが読み出され、システムバス１８を介して、ハードディスクインターフェース部１４を経由してＭＰＥＧデコーダ１６に入力され、復調された後、ＯＳＤ回路１７を通して映像出力されると共に、ＭＰＥＧデコーダ１６で復調された音声信号も出力される。
【００１７】
さて、放送受信機である録画再生装置に録画されたコンテンツの所有者を限定するための個人認証用ＩＣカード１２及びＩＣカード１２に蓄積されている個人情報のデータの読み出し及び書き込み用のＩＣカードインターフェース部１４がシステムバス１８に接続されており、ＣＰＵ１０はこれらの動作を制御する。
【００１８】
又、個人認証用ＩＣカード１２は、個人識別用ＩＣカードでもよく、更に非接触型ＩＣカードでもよい。非接触型ＩＣカードを使用したものとして、改札等に使用する交通系、電子マネー・電子プリカ、携帯・モバイルバンキングなどの通信分野、入退出といったセキュリテイに１枚のカードで行うシステムがある。このような非接触型ＩＣカードを使用して放送受信機の蓄積型メディアを制御するようにしてもよい。
【００１９】
図２は、ＩＣカード１２に記憶されている個人情報のデータの一例を示したものであり、ＩＣカード１２には放送受信機（録画再生装置）を購入した家族の姓若しくは姓に関連する名称とその機器を使用する家族個々の名若しくは名に関連する名称が記憶されている。例えば、アドレス０Ｘ００００には「姓（電波）」、「名（太郎）」が記憶されている。アドレス０Ｘ００４０には「嗜好データ（ジャンル１）」、０Ｘ００５０には「嗜好データ（ジャンル２）」が記憶されている。
【００２０】
このように、ＩＣカード１２の所有者の嗜好データ（ここでは好む放送番組のジャンル等）が記憶されており、他の家族の嗜好データと一致するデータに関しては、共通嗜好を表すフラグ（実施例の場合“Ｆ”）が追加して記憶されている。この共通嗜好データを表わすフラグは共通の放送番組を特定する共通嗜好データであることを示すもので、嗜好の合った所有者全員で視聴できる放送番組になる。
【００２１】
図３は、録画再生装置のハードディスクドライブ１５のディレクトリ構造を示したものであり、家族の姓（実施例では“電波”）を録画コンテンツの保存ルートディレクトリ２０の名称として使用している。
【００２２】
ＩＣカード１２を持つ家族の人数分だけ保存ルートディレクトリ２０の下にサブディレクトリ（実施例では“太郎”、“花子”という名）２１を作成する。
【００２３】
それぞれＩＣカード１２を持つ家族のそれぞれが録画を実行すると、それぞれのサブディレクトリ２１の下にコンテンツ２３ａ〜２３ｃが記録される。一人以上の家族の嗜好データが一致するコンテンツの場合は、サブディレクトリ２１に記録せずにルートディレクトリ２０に関連付けした下に共通嗜好データ２２として記録される。実施例において、“サブディレクトリ２１の”太郎”のコンテンツは、「世界紀行」２３ａ、「日本名山」２３ｂであり、“次郎”のコンテンツは、「格闘技」であり、“花子”のコンテンツは「ドラマ」であり、共通嗜好データ２２は「サッカー」である。
【００２４】
このようにディレクトリにより階層化させておくと共に、共通の嗜好のものは、共通嗜好データとして録画蓄積しておけば、例え、個人のＩＣカードがなくとも家族で視聴可能なパーミッションのレベルにすることができるのである。
【００２５】
次に、具体的に録画及び再生する際の動作について、図１を参照して、図４及び図５に示すフローチャートに基づいて、以下説明する。
【００２６】
図４は、録画実行時或いは録画予約時の処理の一例を示したフローチャートであり、先ず、録画実行若しくは録画予約かどうかを判断し、非実行の場合は本処理を終了する（ステップＳ１）。
【００２７】
ステップＳ１において、録画実行又は録画予約の場合は、更に、ＩＣカード１２のデータ（個人情報）が読取れる状態（例えば、カードが機器に挿入されている）にあるかどうかを判断し、読取れる状態ではない場合は、録画保存するディレクトリをルートディレクトリに指定する（ステップＳ２、Ｓ３）。
【００２８】
ステップＳ２において、ＩＣカード１２から個人情報が読取れる場合は、ＩＣカード１２から個人情報の各データを読み出し、ハードディスクドライブ１５のルートディレクトリの下に各データと同じサブディレクトリが存在するかどうかを確認し、非存在の場合は各データの名称のサブディレクトリを作成し、次の処理に進む（ステップＳ４、Ｓ６）。
【００２９】
ステップＳ５において、ディレクトリが存在する場合には、更に、ＩＣカード１２より個人嗜好データと嗜好一致フラグを読み出し、録画対象番組のジャンル等データと比較し、嗜好一致フラグが有効且つ嗜好データ（番組ジャンル）と録画対象番組のジャンルが一致した場合は、複数の家族が希望する放送番組と判断し、録画保存するディレクトリをルートディレクトリとして、次の処理に進む（ステップＳ７、Ｓ８、Ｓ９、Ｓ３）。
【００３０】
ステップＳ９において、ジャンルが一致しなかった場合は、ＩＣカード１２を読取れる状態にした家族個人の嗜好に該当する放送番組と判断し、必要に応じてＩＣカード１２の嗜好データの更新・追加・削除の処理を行い、録画若しくは録画予約待機を実行する（ステップＳ１０、Ｓ１１）。
【００３１】
図５は、再生時の処理のフローチャートであり、先ず、再生が指示されたかどうかを判断し、非指示の場合は本処理を終了する（ステップＳ２１）。
【００３２】
再生が指示された場合は、ＩＣカード１２が挿入されているかどうかを判断する（ステップＳ２２）。
【００３３】
そして、ＩＣカード１２が非挿入の場合は、複数の家族の嗜好が一致したコンテンツが選択されたと判断し、次の処理に進む（ステップＳ２２）。
【００３４】
ステップＳ２２において、ＩＣカード１２が読取れる状態の場合には、サブディレクトリを意味する名前データを読み込む（ステップＳ２３）。
【００３５】
読み込まれた名前データと一致するサブディレクトリが存在するかどうか判断し、非存在の場合は、無効なＩＣカード１２から読取られたものと判断し、次の処理へ進む。サブディレクトリが存在する場合は、該当するサブディレクトリに録画保存されている放送番組の一覧データを読み込む（ステップＳ２４、Ｓ２５）。
【００３６】
更に、ルートディレクトリに録画保存されている放送番組の一覧データを読み込む（ステップＳ２６）。
【００３７】
そして、先に読み出したサブディレクトリの一覧データと合わせて録画番組一覧を表示する（ステップＳ２７）。ここで、ＩＣカード１２が挿入されていない場合や無効ＩＣカードが挿入されている場合は、ルートディレクトリだけの録画番組のリストが一覧表示される。
【００３８】
そして、表示した録画番組一覧表からユーザーが所望する放送番組が選択されたかどうかを判断し、非選択の場合は、この処理は終了する(ステップＳ２８)。
【００３９】
ステップＳ２８において、指定された放送番組が選択された場合には、ユーザーが該当する録画された放送番組の視聴を希望していると判断して、該当の放送番組の再生を行う（ステップＳ２９）。
【００４０】
このようにして、個人に割り当てられた個人認証用ＩＣカードに記憶された情報に基づき、放送番組の録画の保存先を指定したり、録画番組の再生時に本人の録画した放送番組のみがアクセス可能となり、一台の録画再生装置を複数のユーザーが共用でき、間違って消去されなくなる。
【００４１】
次に、本願発明の第２の実施形態の録画再生装置を具現化する放送受信機について、説明する。
【００４２】
放送受信機は、個人認証用カードに記憶されている各々の個人情報に基づいて、蓄積メディアに蓄積されている放送番組を選択して再生する構成となっている。
【００４３】
即ち、個人情報は、個人の嗜好にあった放送番組（コンテンツ）を特定する嗜好データを備え、この嗜好データに基づいて蓄積メディアに蓄積されている放送番組（コンテンツ）を選択して表示できるというものである。
【００４４】
この個人認証用カードに記憶されている嗜好データは、上記の第１の実施形態で説明した図２に示す構成と同じであり、放送受信機（録画再生装置）を購入した家族の姓若しくは姓に関連する名称とその機器を使用する家族個々の名若しくは名に関連する名称が記憶されている。例えば、アドレス０Ｘ００００には「姓（電波）」、「名（太郎）」が記憶されている。アドレス０Ｘ００４０には「嗜好データ（ジャンル１）」、０Ｘ００５０には「嗜好データ（ジャンル２）」が記憶されている。
【００４５】
このように、個人認証用カード（ＩＣカード）の所有者の嗜好データ（ここでは好む放送番組のジャンル等）が記憶されており、他の家族の嗜好データと一致するデータに関しては、共通嗜好を表すフラグ（実施例の場合“Ｆ”）が追加して記憶されている。この共通嗜好データを表わすフラグは共通の放送番組を特定する共通嗜好データであることを示すもので、嗜好の合った所有者全員で視聴できる放送番組になる。
【００４６】
このように嗜好データが記憶されている個人認証用カードを使用して、蓄積メディアに蓄積されている放送番組を選択して再生するようにすれば、第１の実施形態で説明したように予め個人の嗜好に合った放送番組のみを蓄積することなく、受信した放送番組はとりあえず蓄積して蓄積メディアを作成しておき、その中から個人の嗜好にあった放送番組を個人認証用カードで選択及び再生すれば、所望の放送番組の選択は迅速且つ簡単に行うことができるのである。
【００４７】
【発明の効果】
以上説明したように、録画再生装置及び放送受信機が一台に対し、家族数の個人認証用カードを用いて、個々の趣味嗜好に関するコンテンツ（放送番組）を録画をすることができ、録画をした個人以外のアクセスを制限して録画したコンテンツ（放送番組）を保護することができるという効果がある。
【００４８】
又、即座に個々が所望するコンテンツ（放送番組）を視聴することでき、又、個々の趣味嗜好が家族内の一人以上にまたがる場合は、共通の保存領域に記録することで、個人認証用カードを必要としないで視聴することができるという効果がある。
【００４９】
更に、個々にアクセスが許可されたコンテンツ（放送番組）しか表示されないので、誤消去を未然に防げるという効果もある。
【００５０】
また、放送番組（コンテンツ）を蓄積して作成されている蓄積メディアに対して、個人の嗜好に合った嗜好データが記憶されている個人認証用カードを用いて、蓄積されている放送番組のなかから選択再生するようにしたことにより、蓄積されている放送番組の選択がきわめて迅速且つ簡単に行うことができ、操作性を向上させることができるという効果がある。
【図面の簡単な説明】
【図１】本発明に係る録画再生装置のブロックダイヤグラムである。
【図２】同個人認証用ＩＣカード内に記憶されているデータフォーマットの一例である。
【図３】同ハードディスクドライブ内のディレクトリ構造を示した一例である。
【図４】同番組録画時又は録画予約時の処理を示したフローチャートである。
【図５】同再生時の処理を示したフローチャートである。
【符号の説明】
１；ＢＳ／ＣＳアンテナ入力部、２；ＢＳ／ＣＳチューナー部、３；デジタル復調回路、４；エラー訂正回路、５；デマルチプレクサ、６；地上波アンテナ入力部、７；チューナー部、８；ビデオデコーダ、９；ＭＰＥＧエンコーダ、１０；ＣＰＵ、１１；メモリ、１２；ＩＣカード、１３；ＩＣカードインターフェース部、１４；ハードディスクインターフェース部、１５；ハードディスクドライブ、１６；ＭＰＥＧデコーダ、１７；ＯＳＤ回路、１８；システムバス
【図１】
0004487441.tif 000002
【図２】
0004487441.tif 000003
【図３】
0004487441.tif 000004
【図４】
0004487441.tif 000005
【図５】
0004487441.tif 000006